(57)【要約】【課題】作業現場におけるパネルの躯体への取付作業を容易にできるパネル取付構造を提供する。【解決手段】枠材５ａ〜５ｄは、パネル２の溝３に係合してパネル２を保持する保持部６と、他の枠材５ａ〜５ｄと組み合わせられる枠組部７と、躯体１に固定される取付部８とから一体的に形成される。枠材５ａ〜５ｄは事前にパネル２の側面全周にわたって装着され、複数の枠材５ａ〜５ｄが枠組みされて枠体４となる。作業現場において、枠体４とパネル２が一体化されたパネルユニット１４は、隣のパネルユニット１４の枠材５ａ〜５ｄの取付部８に重ね合わせられて固定される。【選択図】図４
2005232730.tif 000002
【特許請求の範囲】
【請求項１】
建物外装用のパネルの側面全周にわたって溝が形成され、各側面の溝に枠材がそれぞれ係合され、各枠材が枠組されて一体化した枠体となり、前記パネルを保持した前記枠体が隣のパネルの枠体あるいは隣の取付部材と重ね合わされて躯体に取付けられたことを特徴とするパネル取付構造。
【請求項２】
建物外装用のパネルの側面全周にわたって溝が形成され、該溝を挟んで前記パネルの側面に、裏面側が表面側よりも低くなるように段差が形成され、該段差によって生じたスペースに枠材が配置され、該枠材の一部が前記溝に係合され、各側面に沿って装着された枠材が枠組されて一体化した枠体となり、前記パネルを保持した前記枠体が隣のパネルの枠体あるいは隣の取付部材と重ね合わされて躯体に取付けられたことを特徴とするパネル取付構造。
【請求項３】
枠材に、他のパネルの枠材を嵌め込む嵌合部が形成され、隣合うパネル同士の隙間の広狭に応じて、隙間が狭いときには前記嵌合部に他の枠材が嵌め込まれて枠体同士が重ね合わせられたことを特徴とする請求項１または２に記載のパネル取付構造。
【請求項４】
枠材は、パネルの溝に係合してパネルを保持する保持部と、他の枠材と組み合わせられる枠組部と、躯体に固定される取付部とから一体的に形成され、前記取付部が、隣のパネルの枠体の取付部あるいは取付部材と重ね合わせられ、上方に位置するパネルの前記取付部あるいは前記取付部材は、下方に位置するパネルの前記取付部あるいは前記取付部材の表面側に重ね合わせられたことを特徴とする請求項１〜３のいずれかに記載のパネル取付構造。
【請求項５】
側面全周にわたって溝が形成され、該溝を挟んで段差が形成された建物外装用のパネルに装着する枠材であって、前記溝に係合する保持部と、前記段差によって形成される空間に納まり、かつ、他の枠材と組み合わせられる枠組部と、躯体に固定される取付部とから一体的に形成されてなり、前記枠組部は、前記段差による高低差より薄く形成され、前記枠組部の内面側に他の枠材が固定される固定部材が設けられたことを特徴とする枠材。
【発明の詳細な説明】
【技術分野】
【０００１】
本発明は、建物の躯体に複数の外装用のパネルを並べて取付けるためのパネル取付構造に関するものである。
【背景技術】
【０００２】
一般に、外装用パネルは、建物の躯体に取付金具によって取付けられる。パネルに取付金具を装着するために、パネルの側面に溝が形成されている。溝に取付金具が係合されることによって、パネルは取付金具に保持される。例えば、特許文献１では、躯体に取付金具が取付けられ、この取付金具にパネルが装着される。このようにして、パネルは躯体に取付けられる。
【特許文献１】特開２０００−３３６８９４  （段落０００８〜００２１、図２）
【発明の開示】
【発明が解決しようとする課題】
【０００３】
上記のように、取付金具へのパネルの装着を作業現場において行う場合、正確な位置合わせが困難であり、微調整を繰り返さなければならない。そのため、作業時間が増え、作業の効率が悪くなる。また、パネルの側面に対応して取付金具を使用しなければならないので、複数のパネルに対して多数の取付金具が必要となる。作業現場においては、これらの部材の取り扱いが煩雑となり、部材管理に労力がかかってしまう。
【０００４】
そこで、本発明は、作業現場におけるパネルの躯体への取付作業を容易に行えるパネル取付構造を提供することを目的としている。
【課題を解決するための手段】
【０００５】
上記目的を達成するために、本発明は、建物外装用のパネルの側面全周にわたって溝が形成され、各側面の溝に枠材がそれぞれ係合され、各枠材が枠組されて一体化した枠体となり、前記パネルを保持した前記枠体が隣のパネルの枠体あるいは隣の取付部材と重ね合わされて躯体に取付けられたことを特徴とする。
【０００６】
枠組みされた枠体をパネルに装着した構造にすることにより、作業現場に出荷する前に、工場等でパネルの側面全周にわたって取付金具である枠材を装着することが可能となる。これにより、正確に位置合わせされたパネルと枠体とが一体にされ、ユニット化できる。したがって、作業現場において、枠体が装着されたパネルを躯体に取付ける作業によって、外装工事を容易に行える。なお、パネルの各側面の溝に係合される複数の枠材は、互いに交じり合う側面に装着された枠材同士を組み合わせることによって、一体化され、１つの枠体となる。
【０００７】
枠材は、パネルの溝に係合してパネルを保持する保持部と、他の枠材と組み合わせられる枠組部と、躯体に固定される取付部とから一体的に形成される。前記取付部が、隣のパネルの枠体の取付部あるいは取付部材と重ね合わせられる。ここで、上方に位置するパネルの前記取付部あるいは前記取付部材は、下方に位置するパネルの前記取付部あるいは前記取付部材の表面側に重ね合わせられる。なお、取付部材とは、建物の笠木やパネルボーダー、あるいは窓や戸等の開口の見切り縁等である。
【０００８】
パネルは枠体に嵌め込まれた状態となっている。この枠体を躯体に取付けることにより、パネルは正確に位置決めされ、パネルの位置を微調整する必要がなくなる。ここで、上下にパネルを並べて取付けるとき、上方のパネルの枠体が下方のパネルの枠体の表面側になるように重ね合わせられる。すなわち、枠体の上部は、上方にあるパネルの枠体によって押えられ、下部は、下方にあるパネルの枠体を押える。このような構造によって、パネルは上側固定、下側自由といった状態に支持されることになる。したがって、パネルを取付けるとき、最初に上側を固定すれば、パネルは躯体に仮止め状態にでき、取付作業が容易となる。しかも、上下逆の構造にした場合、パネルは下側を支点にして倒れるおそれがあるが、上記構造にすれば、パネルが倒れることを防げる。
【０００９】
そして、パネルの側面に、溝を挟んで裏面側が表面側よりも低くなるように段差が形成され、該段差によって生じたスペースに枠材が配置され、該枠材の一部、すなわち保持部が前記溝に係合される。パネル側面の裏面側と表面側との高低差を利用して、パネルの側面に枠材を装着できる。したがって、パネルの側面から枠材が突出することがなくなる。隣合うパネル同士を隙間をあけて取付けたとき、隙間に不要な突出物がないので、パネル取付け後の外観がよくなる。しかも、枠材を躯体にネジ等によって固定するときにも、邪魔な突出物がなく、作業がやりやすくなる。
【００１０】
また、枠材に、他のパネルの枠材を嵌め込む嵌合部が形成され、隣合うパネル同士の隙間の広狭に応じて、隙間が狭いときには前記嵌合部に他の枠材が嵌め込まれて枠体同士が重ね合わせられる。なお、パネル同士の隙間が広いときには、一方の枠材が他方の枠材の嵌合部に嵌め込まずに、枠材の取付部同士を重ね合わせる。これによって、パネル同士の隙間を自由に可変でき、また隙間の大きさが変更されても、枠材を変更することなくそのまま使用でき、枠材の汎用性が高まる。
【００１１】
また、枠材の枠組部の内面側に、他の枠材と固定する固定部材が形成されている。この固定部材としては、ネジやピン等の固定具を用いて固定する場合には、固定具が係合される挿入部である。他の枠材に設けられた爪等の突起によって固定する場合には、この突起を引掛けたり嵌め込んだりする係止部である。
【発明の効果】
【００１２】
以上のように、本発明によると、パネルに一体化された枠体を躯体の決められた位置に合わせることにより、パネルを正確に位置決めでき、パネルの微調整が不要となる。また、作業現場において、パネルと枠体とがばらばらにならず、取り扱いが容易となり、パネルの取付作業も楽になる。
【発明を実施するための最良の形態】
【００１３】
以下、本発明の実施形態を図面に基づいて説明する。図１は本発明に係るパネルおよび枠体の斜視図、図２は枠材を装着したパネルの断面図、図３はパネルを並べて取付けたときの斜視図を示す。
【００１４】
本発明の建物の外装用として躯体１に取付けられるパネル２は、アルセライト、テラゾ、ガラス、アルミニウム等の材料によって矩形状の平板に成形される。パネル２は、側面全周にわたって溝３が形成されている。パネル２の側面では、溝３を挟んで裏面側が表面側よりも低くなるように段差が設けられている。
【００１５】
このパネル２は、図１に示すように、四方を取り囲む枠体４を介して建物の躯体１に取付けられる。枠体４は、４つの枠材５ａ〜５ｄを一体的に組み合わせて構成される。パネル２の４つの側面にそれぞれ枠材５が装着されている。
【００１６】
枠材には、パネル２の上側に装着される上側枠材５ａ、下側に装着される下側枠材５ｂ、左側に装着される左側枠材５ｃ、右側に装着される右側枠材５ｄがある。なお、左側枠材５ｃはパネル２の表面側から見て左にある枠材、右側枠材５ｄはパネル２の表面側から見て右にある枠材とする。
【００１７】
各枠材５ａ〜５ｄは、パネル２の溝３に係合する保持部６と、他の枠材５ａ〜５ｄと組み合わせられる枠組部７と、躯体１に固定される取付部８とから構成されている。枠材５は、アルミニウム製の押出成型材であり、断面が略Ｚ型とされ、各部が一体的に形成されている。各枠材５の長手方向の長さはパネル２の側面の長さと等しい。
【００１８】
枠組部７の一端から内面側に向かって保持部６が突設され、他端から外面側に向かって取付部８が突設されている。保持部６の厚みは溝３の幅より薄い。保持部６の長さは、溝３の底からパネル２の表面側の側面までの長さと同等もしくはそれ以下の長さとされる。また、図２に示すように、保持部６の表面側には、ガタ止め用緩衝材９が貼り付けられている。保持部６を溝３に挿入した際、緩衝材９により保持部６と溝３との隙間によるガタツキを防止する。緩衝材９は発泡クッション材やゴム材等からなる。
【００１９】
左側枠材５ｃおよび右側枠材５ｄの保持部６では、長手方向の両端が、上側枠材５ａおよび下側枠材５ｂの保持部６の長さと同等かそれ以上に切欠かれている。これにより、左側枠材５ｃあるいは右側枠材５ｄに上側枠材５ａおよび下側枠材５ｂを組み合わせたとき、各保持部６同士が干渉することはない。
【００２０】
枠組部７は、パネル３の側面の段差によって形成される空間に納まる。枠組部７の厚さは、段差による高低差より薄い。枠組部７には、内面側の中央位置に固定部材であるネジ挿入部１０が突出して形成されている。ネジ挿入部１０に、他の枠材５ａ，５ｂを固定するための固定具であるタッピンネジ１１が挿入される略Ｕ字形状の溝が形成されている。左側枠材５ｃおよび右側枠材５ｄのネジ挿入部１０は上側枠材５ａあるいは下側枠材５ｂのネジ挿入部１０と干渉しないように、長手方向の両側が切り欠かれている。
【００２１】
また、左側枠材５ｃおよび右側枠材５ｄの枠組部７には、タッピンネジ１１を挿入するための挿入穴１２が長手方向の両側に形成されている。ネジ挿入部１０の表面側壁面と保持部６との距離は、パネル２の側面の裏面側の厚さより若干大きい。このネジ挿入部１０と保持部６とによって、パネル２の裏面側の側面が挟み込まれることにより、各枠材５ａ〜５ｄは、パネル２に装着される。
【００２２】
各枠材５ａ〜５ｄを組み合わせたとき、左側枠材５ｃあるいは右側枠材５ｄの枠組部６は上側枠材５ａおよび下側枠材５ｂの枠組部７の長手方向の端面に当接する。タッピンネジ１１を上側枠材５ａおよび下側枠材５ｂのネジ挿入部１０にねじ込むことにより、各枠材５ａ〜５ｄは一体的に固定される。なお、左側枠材５ｃおよび右側枠材５ｄの枠組部７の外面よりネジ頭は突出しない。
【００２３】
取付部８には、躯体１に取付けるためのネジ用の取付穴１３が複数個、等間隔に形成されている。ここで、上下左右に隣合うパネル２の枠材５ａ〜５ｄの取付部８は、互いに重ね合わせられる。そのため、上側枠材５ａの枠組部７は下側枠材５ｂの枠組部７より長い。上側枠材５ａの取付部８は下側枠材５ｂの取付部８より長い。左側枠材５ｃの枠組部７は右側枠材５ｄの枠組部７より長い。左側枠材５ｃの取付部８は右側枠材５ｄの取付部８より長い。このように、上下左右の枠材５に長短を付けることにより、枠材５を重ね合せたとき、各パネル２の表面が面一になる。
【００２４】
上記構成において、作業現場に出荷する前に、工場等で上下左右の枠材５の保持部６をパネル２の各側面の溝３に挿入する。左側枠材５ｃの挿入穴１２からタッピンネジ１１を上側枠材５ａおよび下側枠材５ｂのネジ挿入部１０にねじ込み、左側枠材５ｃを上側枠材５ａおよび下側枠材５ｂに固定する。同様に、右側枠材５ｄも上側枠材５ａおよび下側枠材５ｂに固定する。パネル２の側面全周にわたって枠材５が装着され、パネル２の周囲を取り囲む枠体４が形成される。パネル２の側面からは枠材５の枠組部７が突出しない。このように、パネル２と枠体４とが一体化されて、パネルユニット１４が形成される。
【００２５】
パネルユニット１４は、作業現場に搬送され、建物の躯体１に取付けられる。図３〜図１０に基づいて、本実施形態のパネル２と枠材５を用いたパネル取付けの施工方法を説明する。図３に示すように、複数のパネル２が上下左右に並べられて躯体１に取付けられる。ここでは、左下に位置するパネルユニット１４を基準にして説明する。
【００２６】
まず、上下方向において、パネルユニット１４を躯体１に対して仮止めする。パネルユニット１４は、図４に示すように、躯体１に固定された固定アングル１５に取付けられる。なお、パネルユニット１４を直接躯体１に取付けてもよい。上方のパネルユニット１４の下側枠材５ｂがパネルユニット１４の上側枠材５ａに重ね合わせられる。下側枠材５ｂの取付部８は下方にある上側枠材５ａの取付部８の表面側に重なる。両取付部８の取付穴１３の位置を合わせ、テクスネジ１６を固定アングル１５にねじ込み、共締めする。このように、パネルユニット１４の上側枠材５ａを上方のパネルユニット１４によって押さえつけることによって、パネルユニット１４を躯体１にしっかりと仮止め状態に保持でき、取付作業が容易となる。なお、パネルユニット１４の下側枠材５ｂは、下方にパネルユニット１４が取付けられたときに下方の上側枠材５ａを押さえつける。
【００２７】
また、パネルユニット１４は、同時に右方のパネルユニット１４にも重ねられる。すなわち、図５に示すように、パネルユニット１４の右側枠材５ｄが、右方のパネルユニット１４の左側枠材５ｃに重ね合わせられる。右側枠材５ｄの取付部８は右方にある左側枠材５ｃの取付部８の表面側に重なる。両取付部８の取付穴１３の位置を合わせ、テクスネジ１６を固定アングル１５にねじ込み、共締めする。なお、パネルユニット１４の左側枠材５ｃは、左方にパネルユニット１４が取付けられたときに左方の右側枠材５ｄによって押さえつけられる。
【００２８】
以上のように、パネルユニット１４の枠体４を順々に重ね合わせていくことにより、複数のパネルユニット１４が躯体１に取付けられる。
【００２９】
ところで、建物の上下左右の端部に位置するパネルユニット１４、あるいは窓等の開口の周囲に位置するパネルユニット１４では、隣のパネルユニット１４の枠体４の代わりに、笠木１７、パネルボーダー１８、見切り縁等の建物に固定される取付部材８と重ね合わせられる。以下に、このような場合について説明する。
【００３０】
図６に取付部材である笠木１７の下方にパネルユニット１４を取付ける場合を示す。笠木１７の下部には、下側枠材５ｂの取付部８と同じ取付部１７ａが形成されている。枠体４同士を重ね合わせる場合と同様に、笠木１７の取付部１７ａがパネルユニット１４の上側枠材５ａの取付部８の表面側に重ね合わせられ、テクスネジ１６によって共締めして固定アングル１５に取付けられる。
【００３１】
図７にパネルボーダーの１８上下方向にパネルユニット１４を取付ける場合を示す。パネルボーダー１８も取付部１８ａが形成され、笠木１７と同様にパネルユニット１４の上側枠材５ａに重ねられて、固定アングル１５に取付けられる。
【００３２】
上下方向だけでなく左右方向においても同様の取付構造とされる。例えば図８にコーナービート１９の左右方向に隣接してパネルユニット１４を取付ける場合を示す。コーナービート１９の左右方向の両側に、左側枠材５ｃの取付部８と同じ取付部１９ａが形成されている。一方、コーナービート１９を挟んで右側にあるパネルユニット１４においては、左側枠材５ｃは、右側枠材５ｄと同じ枠材５とされる。コーナービートの各取付部１９ａの表面側に、左側にあるパネルユニット１４の右側枠材５ｄの取付部８あるいは右側にあるパネルユニット１４の左側枠材５ｃの取付部８がそれぞれ重ね合わせられ、テクスネジ１６によって共締めして固定アングル１５に取付けられる。
【００３３】
なお、窓等の開口の周囲に配置されるパネルユニット１４においても、上記の笠木１７、コーナービート１９等の取付部材と同様な取付構造とされる。
【００３４】
また、パネルユニット１４を容易に取外せるように躯体１に取付けることもできる。図９に取外し可能なパネルユニット１４を含む複数のパネルユニット１４を左右方向に並べて取付けた状態を示す。取外し可能なパネルユニット１４では、左側枠材５ｃおよび右側枠材５ｄが、それぞれ左右のパネルユニット１４の枠材５ｃ，５ｄの表面側に重ね合わせられる。そのため、取外し可能なパネルユニット１４の左側枠材５ｃは、枠組部７や取付部８の短い右側枠材５ｄと同じ構成とされる。一方、このパネルユニット１４と重ねられる左方のパネルユニット１４では、右側枠材５ｄは、枠組部７や取付部８の長い左側枠材５ｃと同じ構成とされる。なお、同様に、取外し可能なパネルユニット１４の上側枠材５ａは、枠組部７や取付部８の短い下側枠材５ｂと同じ構成とされ、上方のパネルユニット１４の下側枠材５ｂは、枠組部７や取付部８の長い上側枠材５ａと同じ構成とされる。
【００３５】
このように、パネルユニット１４の枠体４が四方のパネルユニット１４の各枠体４の表面側に重ね合わせて取付けられているので、容易に取外すことができる。
【００３６】
なお、パネルユニット１４は、隣のパネルユニット１４や取付部材と隙間をあけて躯体１に取付けられている。この隙間から雨水やごみが侵入しないように、上下左右に隣合う枠体４同士の間あるいは枠体４と取付部材との間に、隙間を埋めるコーキング２０が施されている。
【００３７】
ところで、この隙間である施工目地の幅は常に一定とは限らない。そこで、図１０に任意の施工目地幅に対応可能な枠体を有するパネルユニット１４の取付構造を示す。他の枠体４を表面側に重ねる上側枠材５ａに、下側枠材５ｂを嵌め込むことができる嵌合部２１が設けられる。
【００３８】
嵌合部２１は、枠組部７と取付部８とが直交する部分に、取付部８の一部を内面側に向けて折り曲げて形成される。すなわち、嵌合部２１として、枠組部７と取付部８とが直交する部分から内面側に突出する断面コの字状の凹みが形成され、取付部８の表面と面一とされる。嵌合部２１の入口に、テーパー面２２が形成され、入口が広げられている。なお、左側枠材５ｃにも、右側枠材５ｄを嵌め込むことができる同様の嵌合部２１が設けられる。
【００３９】
この嵌合部２１に挿入可能とされる下側枠材５ｂあるいは右側枠材５ｄの取付部８の外面側先端に、突起２３が形成されている。突起２３は、表面側に向けて突出しており、その高さは、嵌合部２１の凹みの幅とほぼ同じである。この突起２３が凹みに挿入されることにより、下側枠材５ｂあるいは右側枠材５ｄは、上側枠材５ａあるいは左側枠材５ｃの嵌合部２１に容易に抜け出さないように保持される。
【００４０】
また、上側枠材５ａの取付部８は、通常の取付部よりも長く形成され、ネジ用の取付穴１３が複数個形成されている。取付穴１３は、上下方向に並べられる。なお、取付穴１３を長穴とすれば、任意の位置にテクスネジ１６を挿入でき、目地の幅に応じてパネルユニット１４の取付位置の微調整が可能となる。なお、左側枠材５ｃの取付部８も同様の構造である。
【００４１】
図１０（ａ）に、施工目地幅が狭い場合における、パネルユニット１４を上下に並べて取付けた状態を示す。下方のパネルユニット１４の上側枠材５ａは、固定アングル１５にテグスネジ１６によって取付けられる。このとき、テグスネジ１６が挿入される取付穴１３は、取付部８の最も外面側に位置する取付穴１３である。そして、下方のパネルユニット１４に対して上方のパネルユニット１４が取付けられる。上方から下側枠材５ｂの取付部８が、上側枠材５ａの嵌合部２１に差し込まれる。下側枠材５ｂの取付部８の先端の突起２３が、嵌合部２１のテーパー面２２に案内され、嵌合部２１に嵌まり込む。嵌合部２１の入口が広がっているので、パネルユニット１４を傾けた状態で差し込むことができ、作業が容易となる。
【００４２】
下側枠材５ｂの取付部８は上側枠材５ａの取付部８の表面側に重ね合わせられ、突起２３が嵌合されることにより、上方のパネルユニット１４は下方のパネルユニット１４を押さえつける。また、上方のパネルユニット１４の下側枠材５ｂは下方のパネルユニット１４の上側枠材５ａに保持されるので、抜け出すことはない。
【００４３】
図１０（ｂ）に、施工目地幅が広い場合における、パネルユニット１４を上下に並べて取付けた状態を示す。この場合には、図４に示した場合と同じように、下側枠材５ｂの取付部８が上側枠材５ａの取付部８の表面側に重ね合わせられ、両取付部８がテグスネジ１６によって固定アングル１５に共締めされる。このとき、上側枠材５ａの取付部８におけるテグスネジ１６が挿入される取付穴１３は、取付部８の内面側に位置する取付穴１３である。
【００４４】
また、左右にパネルユニット１４を並べる場合でも、目地の広狭に応じて同じように取付けられる。このように、嵌合部２１を設けた枠体を使用することにより、パネルユニット１４の周囲の隙間を自由に変えることが可能となり、建物の外装面積が異なっても同数のパネルユニット１４を用いた施工ができる。
【００４５】
なお、本発明は、上記実施形態に限定されるものではなく、本発明の範囲内で修正、変更を加えることができる。本実施形態のパネルは、合成樹脂や鉄系、チタン等の軽金属の材料を用いてもよい。また、上側枠材または下側枠材を、左側枠材あるいは右側枠材として用いてもよい。さらに、左側枠材または右側枠材を、上側枠材あるいは下側枠材として用いてもよい。
【００４６】
また、隣合う枠材同士をネジによって固定して枠体を構成しているが、接着剤やローラーキャッチ等の固定具を用いて組み立ててもよい。また、一方の枠材の枠組部の内面側に爪等の突起を形成し、他方の枠材の枠組部の内面側にこの突起を引掛けたり嵌め込んだりして係止する係止部を設けてもよい。これにより、一方の枠材の突起と、他方の枠材の係止部とが係合して、隣合う枠材が固定されて枠体を構成する。なお、突起部の形状はクサビ状やフック状とする。係止部としては、突起が係合する凹凸部や挿入して挟持する挿入部とする。また、嵌合部は、凹みの代わりに穴にしてもよい。
【図面の簡単な説明】
【００４７】
【図１】本発明に係るパネルおよび枠体の分解斜視図
【図２】枠材を装着したパネルの断面図
【図３】並べて取付けられたパネルの斜視図
【図４】図３に示すＡ−Ａ断面図
【図５】図３に示すＢ−Ｂ断面図
【図６】笠木部分において躯体に取付けられたパネルユニット上部の縦断面図
【図７】パネルボーダー部分において躯体に取付けられたパネルユニット上部の縦断面図
【図８】コーナービート部分において躯体に取付けられたパネルユニットの横断面図
【図９】取外し可能なパネルユニットを含む複数のパネルユニットを並べて躯体に取付けたときの左右方向の横断面図
【図１０】嵌合部を設けた枠材を装着したパネルユニットを示す図であって、（ａ）は施工目地幅が狭い場合の断面図、（ｂ）は施工目地幅が広い場合の断面図
【符号の説明】
【００４８】
１    躯体
２    パネル
３    溝
４    枠体
５ａ  上側枠材
５ｂ  下側枠材
５ｃ  左側枠材
５ｄ  右側枠材
６    保持部
７    枠組部
８    取付部
１０  ネジ挿入部
２１  嵌合部
【図１】
2005232730.tif 000003
【図２】
2005232730.tif 000004
【図３】
2005232730.tif 000005
【図４】
2005232730.tif 000006
【図５】
2005232730.tif 000007
【図６】
2005232730.tif 000008
【図７】
2005232730.tif 000009
【図８】
2005232730.tif 000010
【図９】
2005232730.tif 000011
【図１０】
2005232730.tif 000012